【手続補正書】
【提出日】平成18年6月27日(2006.6.27)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】  各々が、光電変換部と、前記光電変換部の信号が転送される半導体領域と、前記光電変換部の信号を前記半導体領域に転送する転送スイッチと、前記半導体領域の信号を出力線に出力する出力部とを備えた、第１、第２の画素を有する撮像手段と、
前記半導体領域に保持される時間が異なることによって生じるノイズを、前記第１、第２の画素の半導体領域それぞれから第１の信号として出力させる第１の駆動手段と、
前記光電変換部において所定時間蓄積した信号と前記半導体領域に保持される時間が異なることによって生じるノイズとを、前記第１、第２の画素の半導体領域それぞれから第２の信号として出力させる第２の駆動手段と
を有することを特徴とする撮像装置。
【請求項２】  前記第１、第２の画素それぞれが、前記半導体領域をリセットするリセットスイッチをさらに備え、
前記第１の駆動手段において、前記第１、第２の画素の半導体領域を同時にリセットした後、前記リセットされてから順次読み出されるまでの時間に応じて生じるノイズを、前記第１、第２の画素の半導体領域それぞれから、前記第１の信号として出力させること、および、
前記第２の駆動手段において、前記第１、第２の画素の半導体領域を同時にリセットした後、前記光電変換部において所定時間蓄積した信号と前記前記リセットされてから順次読み出されるまでの時間に応じて生じるノイズとを、前記第１、第２の画素の半導体領域それぞれから、前記第２の信号として出力させること
を特徴とする請求項１に記載の撮像装置。
【請求項３】  前記撮像装置が、前記第１の信号を用いて前記第２の信号を補正する補正手段をさらに有する
ことを特徴とする請求項１または２のいずれかに記載の撮像装置。
【請求項４】  前記第１の駆動手段において、
前記第１の画素が前記第１の信号を出力後、前記第１の画素の半導体領域をリセットし、リセット後の前記半導体領域の信号レベルを前記第１の画素の第３の信号として出力させ、
前記第２の画素が前記第１の信号を出力後、前記第２の画素の半導体領域をリセットし、リセット後の前記半導体領域の信号レベルを前記第２の画素の第３の信号として出力させること、
前記第２の駆動手段において、
前記第１の画素が前記第２の信号を出力後、前記第１の画素の半導体領域をリセットし、リセット後の前記半導体領域の信号レベルを前記第１の画素の第４の信号として出力させ、
前記第２の画素が前記第２の信号を出力後、前記第２の画素の半導体領域をリセットし、リセット後の前記半導体領域の信号レベルを前記第２の画素の第４の信号として出力させること、および、
前記補正手段において、
前記第３の信号を用いて前記第１の信号を補正し、前記第４の信号を用いて前記第２の信号を補正すること
を特徴とする請求項３に記載の撮像装置。
【請求項５】  前記撮像装置が、
前記第１、第２の画素の半導体領域を同時にリセットした後、所定時間光電変換を行い、その後、前記第１の画素の半導体領域をリセットし、リセット後の前記半導体領域の信号レベルを前記第１の画素の第５の信号として出力し、その後、前記転送スイッチにより転送された前記光電変換部の信号を前記第１の画素の第６の信号として出力する第１の動作と、
前記第１の動作後に、前記第２の画素の半導体領域をリセットし、リセット後の前記半導体領域の信号レベルを前記第２の画素の第５の信号として出力し、その後、前記転送スイッチにより転送された前記光電変換部の信号を前記第２の画素の第６の信号として出力する第２の動作とを行わせる第３の駆動手段をさらに備え、
前記第５の信号を用いて前記第６の信号を補正すること
を特徴とする請求項２から４のいずれかに記載の撮像装置。
【請求項６】  前記撮像装置において、
前記第１、第２の画素それぞれが、前記光電変換部をリセットする光電変換部リセットスイッチを備え、
前記第１、第２の画素の半導体領域を同時にリセットするリセットタイミングの後、前記リセットされてから順次読み出されるまでの時間に応じて生じるノイズを、前記第１、第２の画素の半導体領域それぞれから、前記第１の信号として出力させる第１の動作と、
前記リセットタイミングの後に前記光電変換部をリセットすることで光電変換を開始し、前記光電変換部において所定時間蓄積した信号と前記前記リセットされてから順次読み出されるまでの時間に応じて生じるノイズとを、前記第１、第２の画素の半導体領域それぞれから、前記第２の信号として出力させる第２の動作とを行わせる第４の駆動手段をさらに有し、
前記光電変換部のリセットを前記第１の信号の出力期間中に行うこと
を特徴とする請求項２から５のいずれかに記載の撮像装置。
【請求項７】  各々が、光電変換部と、前記光電変換部の信号が転送される半導体領域と、前記光電変換部の信号を前記半導体領域に転送する転送スイッチと、前記半導体領域の信号を出力線に出力する出力部とを備えた、第１、第２の画素を有する撮像手段と、
前記光電変換部において所定時間蓄積した信号と前記半導体領域に保持される時間が異なることによって生じるノイズとを、前記第１、第２の画素の半導体領域それぞれから出力信号として出力させる駆動手段と、
前記半導体領域に保持された待機時間に応じた補正信号を選択して、前記第１、第２の画素の半導体領域それぞれから出力された出力信号を補正する補正手段と
を有することを特徴とする撮像装置。
【請求項８】  前記補正信号が、さらに撮像手段における画素の座標に応じて選択されること
を特徴とする請求項６に記載の撮像装置。
【請求項９】  前記撮像手段に像を結像する撮影レンズと、
前記撮像手段からの信号をＡ／Ｄ変換して補正手段に転送するＡ／Ｄ変換器と、
前記補正手段から出力された信号を記録する記憶手段と、
前記記憶手段を制御する記憶制御手段と
を有することを特徴とする請求項３または７のいずれかに記載の撮像装置。
【手続補正３】
【補正対象書類名】明細書
【補正対象項目名】０００１
【補正方法】変更
【補正の内容】
【０００１】
【発明の属する技術分野】
本発明は、被写体像を撮像する撮像素子及び撮像素子を駆動する駆動装置を有する撮像装置に関するものである。
【手続補正４】
【補正対象書類名】明細書
【補正対象項目名】００１６
【補正方法】変更
【補正の内容】
【００１６】
【課題を解決するための手段】
上記課題を解決するために、各々が、光電変換部と、前記光電変換部の信号が転送される半導体領域と、前記光電変換部の信号を前記半導体領域に転送する転送スイッチと、前記半導体領域の信号を出力線に出力する出力部とを備えた、第１、第２の画素を有する撮像手段と、前記半導体領域に保持される時間が異なることによって生じるノイズを、前記第１、第２の画素の半導体領域それぞれから第１の信号として出力させる第１の駆動手段と、前記光電変換部において所定時間蓄積した信号と前記半導体領域に保持される時間が異なることによって生じるノイズとを、前記第１、第２の画素の半導体領域それぞれから第２の信号として出力させる第２の駆動手段とを有することを特徴とする撮像装置を提供する。
【手続補正５】
【補正対象書類名】明細書
【補正対象項目名】００１７
【補正方法】変更
【補正の内容】
【００１７】
また、各々が、光電変換部と、前記光電変換部の信号が転送される半導体領域と、前記光電変換部の信号を前記半導体領域に転送する転送スイッチと、前記半導体領域の信号を出力線に出力する出力部とを備えた、第１、第２の画素を有する撮像手段と、前記光電変換部において所定時間蓄積した信号と前記半導体領域に保持される時間が異なることによって生じるノイズとを、前記第１、第２の画素の半導体領域それぞれから出力信号として出力させる駆動手段と、前記半導体領域に保持された待機時間に応じた補正信号を選択して、前記第１、第２の画素の半導体領域それぞれから出力された出力信号を補正する補正手段とを有することを特徴とする撮像装置を提供する。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】０１４１
【補正方法】変更
【補正の内容】
【０１４１】
【発明の効果】
本発明によれば、画素内に保持される時間が異なる信号と、画素内に保持される時間が異なる光電変換信号を含む信号を出力することができる。そのため、その後、画素内に保持される時間が異なる信号を用いて、画素内に保持される時間が異なる光電変換信号を含む信号を補正することによって画質の良い画像を得られるという効果がある。
【手続補正２２】
【補正対象書類名】明細書
【補正対象項目名】０１４２
【補正方法】変更
【補正の内容】
【０１４２】
さらに、本発明によれば、画素内に保持される時間が異なる信号に相当する補正信号を用いて、画素内に保持される時間が異なる光電変換信号を含む信号を補正することによって画質の良い画像を得られるという効果がある。